(57)【要約】【課題】対象部分を広くかつ効率よくマッサージすることができ、使用者にとって利便性を向上させることが可能な美顔器を提供する。【解決手段】無端状に形成された帯状のベルト状部材１０と、ベルト状部材１０を周回方向に駆動する駆動部２０と、ベルト状部材１０及び駆動部２０を収容し、ベルト状部材１０の一部を露出させる開口部３１を有する外ケース３０と、を備える。【選択図】図１
2017127370.tif 000002
【特許請求の範囲】
【請求項１】
無端状に形成された帯状のベルト状部材と、
前記ベルト状部材を周回方向に駆動する駆動部と、
前記ベルト状部材及び前記駆動部を収容し、前記ベルト状部材の一部を露出させる開口部を有するケースと、を備える、美顔器。
【請求項２】
前記ケースは、前記ベルト状部材の露出部分を内面側から平面状または曲面状に支持する支持部材を備える、請求項１に記載の美顔器。
【請求項３】
前記駆動部は、モータと、前記モータによって回転する駆動ローラと、を備える、請求項１または請求項２に記載の美顔器。
【請求項４】
前記ベルト状部材の内面には、複数の第１歯が周方向に並んで形成され、
前記駆動ローラの外面には、前記第１歯と噛み合う複数の第２歯が周方向に並んで形成される、請求項３に記載の美顔器。
【請求項５】
前記ケースは、前記ベルト状部材の張力を調整するテンションローラを備える、請求項１から請求項４のいずれか一項に記載の美顔器。
【請求項６】
前記ベルト状部材の外面には、周方向に並んだ状態で突出部を備える、請求項１から請求項５のいずれか一項に記載の美顔器。
【発明の詳細な説明】
【技術分野】
【０００１】
本発明は、美顔器に関する。
【背景技術】
【０００２】
従来、顔面をマッサージすることで美容効果が得られる美顔器が知られている（例えば、特許文献１参照。）。特許文献１に記載の美顔器は、回転自在のローラが把持部に取り付けられ、当該ローラを顔面に当てた状態で把持部を移動させることによりローラを回転させて顔面をマッサージする構成が記載されている。また、このローラを電動の振動機構により振動させ、当該振動機構によって顔面を振動マッサージする構成も有している。
【先行技術文献】
【特許文献】
【０００３】
【特許文献１】特開２０００−０００２８２号公報
【発明の概要】
【発明が解決しようとする課題】
【０００４】
上記のような美顔器では、顔面に当てたローラを転がすだけのため、有効なマッサージが得られないといった課題がある。また、ローラを電動モータ等によって回転駆動することも考えられるが、皮膚に当たる部分が直線状になるため、顔面等に対して広くマッサージするためには、ローラを上下に大きく移動させる必要があり、使用者にとって面倒であるとともに、マッサージの効率が悪いといった課題を有している。
【０００５】
以上のような事情に鑑み、本発明は、対象部分を広くかつ効率よくマッサージすることができ、使用者にとって利便性を向上させることが可能な美顔器を提供することを目的とする。
【課題を解決するための手段】
【０００６】
本発明に係る美顔器は、無端状に形成された帯状のベルト状部材と、ベルト状部材を周回方向に駆動する駆動部と、ベルト状部材及び駆動部を収容し、ベルト状部材の一部を露出させる開口部を有するケースと、を備える。
【０００７】
また、ケースは、ベルト状部材の露出部分を内面側から平面状または曲面状に支持する支持部材を備えてもよい。また、駆動部は、モータと、モータによって回転する駆動ローラと、を備えてもよい。また、ベルト状部材の内面には、複数の第１歯が周方向に並んで形成され、駆動ローラの外面には、第１歯と噛み合う複数の第２歯が周方向に並んで形成されてもよい。また、ケースは、ベルト状部材の張力を調整するテンションローラを備えてもよい。また、ベルト状部材の外面には、周方向に並んだ状態で突出部を備えてもよい。
【発明の効果】
【０００８】
本発明によれば、周回するベルト状部材を顔面の頬等の対象部分に当接させることにより、対象部分を広くかつ効率よくマッサージすることができる。これにより、使用者はケースから露出したベルト状部材を対象部分に当てるだけでよく、使用者の利便性を向上させることができる。また、ベルト状部材を上方向に移動させることにより、顔面の頬等を上方向に向けて持ち上げるようにマッサージするため、リフトアップ効果を与えることができる。
【０００９】
また、ケースが支持部材を備えるものでは、ベルト状部材の内周面側を支持部材により支持するので、ベルト状部材を対象部分に当接した際に、ベルト状部材が内側にたわむことを防止して、対象部分を適切にマッサージすることができる。また、駆動部が、モータと、モータによって回転する駆動ローラと、を備えるものでは、駆動ローラによってベルト状部材を効率よく駆動することができる。また、ベルト状部材の内面に複数の第１歯が形成され、駆動ローラの外面に第２歯が形成されるものでは、第１歯と第２歯とが噛み合うことにより、駆動ローラの駆動力を確実にベルト状部材に伝達することができる。また、ケースにテンションローラを備えるものでは、テンションローラによってベルト状部材の弛みを防止するので、対象部分を適切にマッサージすることができ、さらに、駆動部の駆動力を適切にベルト状部材に伝達することができる。また、ベルト状部材の外面に突出部を備えるものでは、ベルト状部材が周回することにより、対象部分に対して突起が移動するので、マッサージ効果を向上させることができる。
【図面の簡単な説明】
【００１０】
【図１】本実施形態に係る美顔器の一例を示す斜視図である。
【図２】（Ａ）及び（Ｂ）は、内ケース４０の例を示す断面図である。
【図３】美顔器の使用状態を示す図である。
【図４】テンションローラを備える美顔器の一例を示す図である。
【図５】（Ａ）は、ベルト状部材及び駆動部の他の例を示す図であり、（Ｂ）は、美顔器の他の例を示す図である。
【図６】（Ａ）〜（Ｃ）は、ベルト状部材の他の例を示す図である。
【図７】（Ａ）及び（Ｂ）は、ベルト状部材の他の例を示す図である。
【図８】ベルト状部材の他の例を示す図である。
【図９】美顔器の他の例を示す図である。
【発明を実施するための形態】
【００１１】
以下、本発明の実施形態について図面を参照しながら説明する。ただし、本発明はこれに限定されるものではない。また、図面においては実施形態を説明するため、一部分を大きくまたは強調して記載するなど適宜縮尺を変更して表現している。
【００１２】
図１は、本実施形態に係る美顔器１００の一例を示す斜視図である。図１に示すように、美顔器１００は、ベルト状部材１０と、駆動部２０と、外ケース（ケース）３０と、内ケース４０と、を備えている。図１では、美顔器１００の内部の構成を示すため、外ケース３０の一部を省略して示している。
【００１３】
ベルト状部材１０は、帯状かつ無端状に形成され、後述の駆動ローラ２２と、２つの従動ローラ５１及び５２との間に架け渡された状態で配置される。ベルト状部材１０は、例えばポリエステル、ポリエチレン等の樹脂材料や、布等の織物、不織布、ゴムなどを用いて帯状に形成される。ベルト状部材１０の表面は、化粧品、美容液等の薬品に対して耐性を有する材料を被覆して形成されてもよい。また、ベルト状部材１０は、内周側がゴム等の弾性部材で構成され、外周側に樹脂材料が張り付けられた構成であってもよい。
【００１４】
駆動部２０は、ベルト状部材１０を周回方向に駆動する。駆動部２０は、モータ２１と、駆動ローラ２２とを有する。モータ２１は、内ケース４０に収容される。モータ２１としては、例えば電動モータが用いられるが、これに限定されず回転エネルギーを生じさせるものであれば、他の種類のモータが用いられてもよい。駆動ローラ２２は、シャフト２３の両端に１つずつ固定される。シャフト２３は、モータ２１の回転軸から所定の減速機（不図示）を介して回転駆動力が伝達されて回転し、このシャフト２３の回転により駆動ローラ２２を回転させる。
【００１５】
なお、シャフト２３は、モータ２１の回転軸が用いられてもよい。駆動ローラ２２が回転することにより、ベルト状部材１０が周回方向に回転する。モータ２１は、電気回路２４を介して電池等の電源２５に接続されている。電気回路２４は、モータ２１の回転を制御する制御回路を有する。モータ２１及び電気回路２４は、電源２５から電力の供給を受ける動作する。
【００１６】
外ケース３０は、ベルト状部材１０、駆動部２０、及び内ケース４０を収容する。外ケース３０は、開口部３１を有する。開口部３１は、ベルト状部材１０のうち、従動ローラ５１と５２との間の部分を露出させるように形成される。なお、外ケース３０は、ベルト状部材１０の幅方向（周回方向に直交する方向）に分割可能に設けられており、分割された外ケース３０を組み合わせることで開口部３１を形成した状態となる。外ケース３０を分割可能とすることで電源２５やベルト状部材１０の交換等が可能となる。
【００１７】
内ケース４０は、外ケース３０の内側であって、かつベルト状部材１０の内側に配置される。内ケース４０は、上記したモータ２１、電気回路２４、及び電源２５を収容する。また、内ケース４０は、ベルト状部材１０の露出部分において、内側からベルト状部材１０を支持するための支持部材４１を有する。支持部材４１は、従動ローラ５１と従動ローラ５２との間に配置され、ベルト状部材１０の内側と当接する平面状の支持面４２（次の図２（Ａ）を参照）を有する。
【００１８】
また、美顔器１００は、防水機能を付与することができる。防水機能を付与する場合、例えば、上記した内ケース４０内に水や化粧品等の進入を防ぐようにシール機構を施してもよい。これにより、浴室等において美顔器１００を使用可能となる。また、内ケース４０内にはモータ２１、電気回路２４、及び電源２５を収容するので、内ケース４０をシールすることによりモータ２１等が水や化粧品等に接触することを防止できる。
【００１９】
図２（Ａ）は、美顔器１００のうち、内ケース４０の一例を示す断面図である。図２（Ａ）では、内ケース４０に加えて、ベルト状部材１０、駆動ローラ２２、従動ローラ５１及び５２の構成を示している。図２（Ａ）に示すように、外ケース３０の開口部３１から、ベルト状部材１０の一部が、従動ローラ５１と従動ローラ５２との間においてほぼ直線状に露出している。
【００２０】
支持部材４１は、平面状の支持面４２により、ベルト状部材１０のうち開口部３１から露出する露出部分を内面側から平面状に支持する。従って、ベルト状部材１０は、開口部３１から露出する部分が外側から押された場合でも、支持部材４１により平面状に保持された状態で回転移動する。なお、支持部材４１の支持面４２は、ベルト状部材１０の内面側と摺動するので、ベルト状部材１０に対して摩擦抵抗を低減するための被膜や表面処理を施してもよい。
【００２１】
図２（Ｂ）は、変形例に係る美顔器１００Ａにおいて、内ケース４０Ａの一例を示す断面図である。図２（Ｂ）に示すように、内ケース４０Ａは、外側に向けて凸となる曲面状の支持部材４１Ａを有する。支持部材４１Ａは、従動ローラ５１と従動ローラ５２との間に配置され、外側に向けて突出するように湾曲した曲面状の支持面４２Ａを有する。支持部材４１Ａは、この支持面４２Ａにより、ベルト状部材１０のうち外ケース３０から露出する部分を内面側から曲面状に支持する。これにより、ベルト状部材１０は、支持面４２Ａに沿って湾曲して周回移動する。
【００２２】
図３は、美顔器１００の使用形態を示す図である。図３に示すように、使用者は、駆動部２０によりベルト状部材１０を回転させた状態で外ケース３０を手で把持し、ベルト状部材１０のうち外ケース３０の開口部３１から露出する部分を顔の頬部分などに当接させる。これにより、ベルト状部材１０が使用者の頬等を摺動する。これにより、使用者の頬等がベルト状部材１０によって広くかつ一方向にマッサージされる。また、ベルト状部材１０を上方向に移動させることにより、顔面の頬等を上方向に向けて持ち上げるようにマッサージするため、リフトアップ効果を与えることができる。また、使用者の顔の表面や、ベルト状部材の表面に化粧品や美容液等の薬品を塗った状態で、ベルト状部材１０を当接してもよい。この場合、ベルト状部材１０の回転により、使用者の顔をマッサージしながら、化粧品等を顔の表面に塗布されることができる。これにより化粧品等の皮膚への浸透を促すことが可能である。
【００２３】
また、ベルト状部材１０が支持部材４１の支持面４２によって平面状に支持されるため、ベルト状部材１０を対象部分に当接する場合であっても、ベルト状部材１０が撓むことを抑制できる。また、図２（Ｂ）に示す美顔器１００Ａにおいては、ベルト状部材１０が曲面となって皮膚に接触するので、対象部分がくぼんだ顎部分などであってもベルト状部材１０を適切に接触させることができる。なお、美顔器１００、１００Ａの使用形態において、美顔器１００等を上下方向（ベルト状部材１０の移動方向）に上下させながら使用してもよい。
【００２４】
図４は、他の実施形態に係る美顔器１００Ｂを示す図である。図４では、ベルト状部材１０の断面を示す図として表している。以下の説明において、上記した美顔器１００と同一または同等の構成部分については同一符号を付けて説明を省略または簡略化する。図４に示すように、美顔器１００Ｂは、外ケース３０の一部にテンションローラ３２を有する。テンションローラ３２は、ベルト状部材１０の張力を調整する。テンションローラ３２は、ベルト状部材１０の外側に配置され、不図示の弾性部材等によりベルト状部材１０の外面を内側に押すように構成される。テンションローラ３２が設けられることにより、ベルト状部材１０の撓みを防ぐことができ、ベルト状部材１０のうち開口部３１から露出する部分を支持部材４１の支持面４２側に沿わせることができる。
【００２５】
なお、テンションローラ３２は、図４に示すように、外ケース３０とベルト状部材１０との間のスペースに配置される。なお、テンションローラ３２を配置するため、外ケース３０を変形させてもよい。また、テンションローラ３２は、駆動ローラ２２と従動ローラ５２との間のベルト状部材１０に対して作用するように配置されるが、これに限定されず、従動ローラ５１と駆動ローラ２２との間に配置されてもよい。
【００２６】
また、テンションローラ３２を配置することに代えて、駆動ローラ２２、または従動ローラ５１、５２の少なくとも１つを外側に向けて弾性部材等により支持することによって、テンションローラ３２と同様にベルト状部材１０の撓みを防ぐことが可能である。
【００２７】
図５（Ａ）は、他の実施形態に係る美顔器１００Ｃにおいて、ベルト状部材１０Ｃ及び駆動部２０Ｃの一例を示す図である。図５（Ａ）では、駆動部２０Ｃ近傍を拡大して示しており、その他の構成については他の実施形態と同様である。図５（Ａ）に示すように、ベルト状部材１０Ｃの内面には、複数の第１歯Ｔ１が周方向に並んで形成される。また、駆動部２０Ｃにおいて、駆動ローラ２２Ｃの外面には、第１歯Ｔ１と噛み合う複数の第２歯Ｔ２が周方向に並んで形成される。
【００２８】
この美顔器１００Ｃでは、駆動ローラ２２Ｃが回転すると第２歯Ｔ２が第１歯Ｔ１に噛み合って回転方向に移動し、ベルト状部材１０Ｃに回転力が伝達される。これにより、駆動ローラ２２Ｃの回転力がベルト状部材１０Ｃに効率的に伝達される。なお、図示した第１歯Ｔ１の形状や第２歯Ｔ２の形状は一例であって、両者が噛み合うことができるものであればその形態は任意である。
【００２９】
図５（Ｂ）は、他の実施形態に係る美顔器１００Ｄの一例を示す図であり、ベルト状部材１０の断面を示す図である。図５（Ａ）に示すように、美顔器１００Ｄは、駆動部２０に挟持ローラ２６を有する。挟持ローラ２６は、駆動ローラ２２との間でベルト状部材１０を挟むように、不図示の弾性部材に支持されて配置される。駆動ローラ２２と挟持ローラ２６とによってベルト状部材１０を挟持することにより、ベルト状部材１０に対する駆動ローラ２２の滑りを抑制することができる。これにより、駆動ローラ２２の回転力がベルト状部材１０に効率的に伝達される。
【００３０】
また、挟持ローラ２６は、外ケース３０内に収容されるので、外径が小さなものが用いられる。この挟持ローラ２６を配置するために外ケース３０を変形させてもよい。また、挟持ローラ２６は、一対の駆動ローラ２２（図１参照）のそれぞれに対応するように一対配置するものでもよい。
【００３１】
また、上記した実施形態では、ベルト状部材１０の外面が平坦に形成された構成を例に挙げて説明したが、これに限定するものではない。図６及び図７は、美顔器１００等に利用可能なベルト状部材の他の例を示す図である。図６（Ａ）〜（Ｃ）及び図７（Ａ）〜（Ｂ）に示すベルト状部材のように、外面に周方向に並んだ状態の突出部が設けられてもよい。以下、具体的に説明する。
【００３２】
図６（Ａ）に示すベルト状部材１０Ｅは、外面に複数の突出部１１Ｅを有している。突出部１１Ｅは、それぞれ断面が半円状に形成され、ベルト状部材１０Ｅの周方向に所定の間隔で設けられる。突出部１１Ｅは、ベルト状部材１０Ｅの幅方向に平行に形成される。このため、例えば顔の表面等の対象部分にベルト状部材１０Ｅの外面を当接させた状態でベルト状部材１０Ｅを回転させることにより、突出部１１Ｅが移動することによって対象部分のマッサージ効果を高めることができる。
【００３３】
さらに、化粧品等の薬品を塗布している場合は、突出部１１Ｅが移動することによって皮膚への刺激を与え、化粧品等の皮膚への浸透を促進することができる。また、図６（Ａ）の断面形状で示すように、突出部１１Ｅは、断面が半球状に形成されているので、対象部分に対して当たりが柔らかな印象を与え、複数の指が一方向に流れていくような感触を使用者に与えることが可能となる。また、複数の突出部１１Ｅは等間隔で配列されることに限定されず、ベルト状部材１０Ｅの表面に異なる間隔で配置されてもよい。
【００３４】
図６（Ｂ）に示すベルト状部材１０Ｆは、外面に複数の突出部１１Ｆを有している。突出部１１Ｆは、それぞれ断面が矩形状に形成され、ベルト状部材１０Ｆの周方向に所定の間隔で設けられる。突出部１１Ｆは、ベルト状部材１０Ｆの幅方向に平行に形成される。このため、例えば顔の表面等の対象部分にベルト状部材１０Ｆの外面を当接させた状態でベルト状部材１０Ｆを回転させることにより、上記した突出部１１Ｅと同様に、突出部１１Ｆが移動することによって対象部分のマッサージ効果を高めることができる。
【００３５】
さらに、化粧品等の薬品を塗布している場合は、突出部１１Ｆが移動することによって皮膚への刺激を与え、化粧品等の皮膚への浸透を促進することができる。また、図６（Ｂ）に断面形状で示すように、突出部１１Ｆは、断面が矩形状に形成されているので、対象部分に対して当たりが強い印象を与え、皮膚等に強い刺激を与えることが可能となる。また、複数の突出部１１Ｆは等間隔で配列されることに限定されず、ベルト状部材１０Ｆの表面に異なる間隔で配置されてもよい。
【００３６】
図６（Ｃ）に示すベルト状部材１０Ｇは、外面に複数の突出部１１Ｇを有している。突出部１１Ｇは、それぞれ断面が半円状に形成され、ベルト状部材１０Ｇの周方向に所定の間隔で設けられる。突出部１１Ｇは、ベルト状部材１０Ｇの幅方向に対して傾いた方向に形成される。このため、対象部分にベルト状部材１０Ｇの外面を当接させた状態でベルト状部材１０Ｇを回転させることにより、上記した突出部１１Ｅ等と同様に、突出部１１Ｇが移動することによって対象部分のマッサージ効果を高めることができる。
【００３７】
なお、突出部１１Ｇは、ベルト状部材１０Ｇの幅方向に対して傾いた方向に形成されるので、上記した突出部１１Ｅとは異なる感触を使用者に与えることが可能である。また、突出部１１Ｇは、断面が半球状に形成されるが、これに限定されず、上記した突出部１１Ｆのように断面が矩形状であってもよい。また、複数の突出部１１Ｇは等間隔で配列されることに限定されず、ベルト状部材１０Ｇの表面に異なる間隔で配置されてもよい。
【００３８】
図７（Ａ）に示すベルト状部材１０Ｈは、外面に複数の突出部１１Ｈを有している。突出部１１Ｈは、ベルト状部材１０Ｈの周方向に所定の間隔で設けられる。突出部１１Ｈは、ベルト状部材１０Ｈの幅方向の一辺側から他辺側に向けて、周回方向の寸法が徐々に広がるように形成される。つまり、突出部１１Ｈは、ベルト状部材１０Ｈの一辺側よりも他辺側の面積が大きくなっている。このため、対象部分にベルト状部材１０Ｈの外面を当接させた状態でベルト状部材１０Ｈを回転させることにより、ベルト状部材１０Ｈの一辺側と他辺側とで異なるマッサージ効果を与えることができ、使用者に対して変化にとんだマッサージを施す印象を与えることができる。
【００３９】
なお、図７（Ａ）に示す突出部１１Ｈは、湾曲して突出するように形成されているが、これに限定するものではなく、角部を有する形状に形成されてもよい。また、ベルト状部材１０Ｈの幅方向の一辺側から他辺側に向けて、周回方向の寸法を徐々に広げているが、これに限定されず、任意に設定可能である。また、複数の突出部１１Ｈは等間隔で配列されることに限定されず、ベルト状部材１０Ｈの表面に異なる間隔で配置されてもよい。
【００４０】
図７（Ｂ）に示すベルト状部材１０Ｉは、外面に複数の突出部１１Ｉを有している。突出部１１Ｉは、それぞれ断面が半球状に形成され、ベルト状部材１０Ｉの周方向に所定の間隔で設けられる。突出部１１Ｉは、例えば半球状に形成されている。このため、対象部分にベルト状部材１０Ｉの外面を当接させた状態でベルト状部材１０Ｉを回転させることにより、上記した突出部１１Ｅ等と同様に、突出部１１Ｉが移動することによって対象部分のマッサージ効果を高めることができる。
【００４１】
なお、図７（Ｂ）に示す突出部１１Ｉは、半球状、すなわち、平面視で円形に形成されている場合を例に挙げているが、これに限定するものではなく、例えば平面視で楕円形状、長円形状、多角形状など、他の形状の突出部が形成されてもよい。また、複数の突出部１１Ｉは規則的に配列されることに限定されず、ベルト状部材１０Ｉの表面に不規則に配置されてもよい。
【００４２】
上記した実施形態では、ベルト状部材１０〜１０Ｉとして一部材で形成された構成を例に挙げて説明したが、これに限定するものではない。図８は、他の例に係るベルト状部材１０Ｊの一例を示す図である。図８に示すように、ベルト状部材１０Ｊは、複数のコマ部材１２と、このコマ部材１２同士を連結するピン１３と、を有している。
【００４３】
コマ部材１２は、樹脂、またはゴム、金属などを用いて形成され、ベルト状部材１０Ｊの周回方向に複数並んで配置される。コマ部材１２は、周回方向の一方の端部に凹部１２ａが形成され、周回方向の他方の端部に凸部１２ｂが形成される。複数のコマ部材１２は、凸部１２ｂが凹部１２ａに挿入された状態で配置される。凸部１２ｂは、凹部１２ａとの間に隙間が空くように形成される。ピン１３は、凹部１２ａと凸部１２ｂとを貫通するように、ベルト状部材１０Ｊの幅方向（周回方向に直交する方向）に差し込まれる。ピン１３により、周回方向に隣り合うコマ部材１２の凹部１２ａと凸部１２ｂとが連結され、無端状のベルト状部材１０Ｊが形成される。
【００４４】
このように、ベルト状部材１０Ｊが複数のコマ部材１２をピン１３によって連結した構成とすることにより、コマ部材１２とコマ部材１２との間に凹凸が生じた状態となり、対象部分にベルト状部材１０Ｊの外面を当接させた状態でベルト状部材１０Ｊを回転させることにより、上記した凹凸部分が移動することによって対象部分のマッサージ効果を高めることができる。
【００４５】
また、コマ部材１２は同一のものを用いることに限定されない。例えば、コマ部材１２として外側に突起等を形成したものと組み合わせて連結することにより、異なる感触を持つベルト状部材１０Ｊを容易に形成することが可能となり、ベルト状部材１０Ｊの選択の幅を広げることができる。
【００４６】
図９は、他の実施形態に係る美顔器１００Ｅの一例を示す図である。図９に示すように、美顔器１００Ｅは、内ケース４０に加振装置６０を備える。加振装置６０は、電源２５（図１参照）によって駆動し、支持部材４１の支持面４２を超音波等により振動させる。これにより、ベルト状部材１０のうち開口部３１から露出した部分は加振装置６０によって振動するので、例えば顔の表面等の対象部分にベルト状部材１０の外面を当接させた状態でベルト状部材１０Ｆを回転させ、かつ加振装置６０を駆動することにより、対象部分のマッサージ効果を高めることができる。なお、加振装置６０により付与する振動は、低周波及び高周波のいずれであってもよい。
【００４７】
このように、本実施形態に係る美顔器１００〜１００Ｅによれば、駆動部２０によってベルト状部材１０を周回方向に回転させた状態で、ベルト状部材１０のうち外ケース３０の開口部３１から露出した部分を顔などの対象部分に当接させることにより、対象部分を広くかつ効率よくマッサージすることができる。また、ベルト状部材１０と皮膚との間に化粧品等を塗布することにより、対象部分に対してマッサージを施しつつ、対象部分に化粧品等の浸透を促進することが可能となる。また、ベルト状部材１０を上方向に移動させることにより、顔面の頬等を上方向に向けて持ち上げるようにマッサージするため、リフトアップ効果を与えることができる。
【００４８】
以上、実施形態について説明したが、本発明は、上述した説明に限定されるものではなく、本発明の要旨を逸脱しない範囲において種々の変更が可能である。例えば、上記した実施形態を組み合わせたものでもよい。上記した図１に示す美顔器１に、図４に示すテンションローラ３２を配置し、かつ図５（Ａ）に示すような第１歯Ｔ１及び第２歯Ｔ２を持つ駆動部２０Ｃが適用されてもよい。また、ベルト状部材１０は、一方向に移動させることに限定されず、移動方向を交互に切り替えるようにしてもよい。
【符号の説明】
【００４９】
Ｔ１・・・第１歯
Ｔ２・・・第２歯
１０、１０Ｃ、１０Ｅ、１０Ｆ、１０Ｇ、１０Ｈ、１０Ｉ、１０Ｊ・・・ベルト状部材
１１Ｅ、１１Ｆ、１１Ｇ、１１Ｈ、１１Ｉ・・・突出部
１２・・・コマ部材
１３・・・ピン
２０、２０Ｃ・・・駆動部
２１・・・モータ
２２、２２Ｃ・・・駆動ローラ
２４・・・電気回路
２５・・・電源
２６・・・挟持ローラ
３０・・・外ケース（ケース）
３１・・・開口部
３２・・・テンションローラ
４０、４０Ａ・・・内ケース
４１、４１Ａ・・・支持部材
４２、４２Ａ・・・支持面
５１、５２・・・従動ローラ
１００、１００Ｂ、１００Ｃ、１００Ｄ、１００Ｅ・・・美顔器
【図１】
2017127370.tif 000003
【図２】
2017127370.tif 000004
【図３】
2017127370.tif 000005
【図４】
2017127370.tif 000006
【図５】
2017127370.tif 000007
【図６】
2017127370.tif 000008
【図７】
2017127370.tif 000009
【図８】
2017127370.tif 000010
【図９】
2017127370.tif 000011